(57)【要約】【課題】本発明は、洗面化粧台本体の底部と床面との間に形成された蹴込み空間に、引き出し自在に収納されたフロアストッカーが、該蹴込み空間からはみ出したとき該フロアストッカーに設けた発光ダイオードが直ちに点灯し、洗面化粧室に入ってきた人に注意を促し、該はみ出したフロアストッカーで怪我等をしないようにした洗面化粧台を提供することを課題とする。【解決手段】本発明の洗面化粧台は、洗面化粧台本体１の底部１１と床面２との間に形成された蹴込み空間３に引き出し自在に収納したフロアストッカー４を装着した洗面化粧台において、該フロアストッカー４の上部を開口した収納空間周囲壁４１の上縁部４２に発光ダイオード５を設けるとともに、該フロアストッカー４を引き出したとき、該発光ダイオード５を発光させることを特徴とする。【選択図】　図３
2004065337.tif 000002
【特許請求の範囲】
【請求項１】
洗面化粧台本体の底部と床面との間に形成された蹴込み空間に引き出し自在に収納したフロアストッカーを装着した洗面化粧台において、該フロアストッカーの上部を開口した収納空間周囲壁の上縁部に発光ダイオードを設けるとともに、該フロアストッカーを引き出したとき、該発光ダイオードを発光させることを特徴とする洗面化粧台。
【請求項２】
上記収納空間周囲壁の上縁部が収納空間周囲壁の頂面であり複数の発光ダイオードを該頂面に或る間隔をおいて配設した請求項１記載の洗面化粧台。
【請求項３】
上記発光ダイオードのスイッチを上記収納空間周囲壁の頂面に設けるとともに、フロアストッカーが蹴込み空間の所定位置に押し込まれたとき、該スイッチの開閉押しボタンを上記洗面化粧台本体の底部で押圧するとともに、該スイッチをオフにするようにした請求項１記載の洗面化粧台。
【請求項４】
上記発光ダイオードと、該フロアストッカーに設けた電源用の電池ボックスとを上記スイッチを介して接続した請求項１記載の洗面化粧台。
【請求項５】
上記フロアストッカーの底面にキャスターを設けた請求項１記載の洗面化粧台。
【発明の詳細な説明】
【０００１】
【発明の属する技術分野】
本発明は、洗面化粧台本体の底部と床面との間に形成された蹴込み空間に引き出し自在に収納したフロアストッカーを装備した洗面化粧台に関するものである。
【０００２】
【従来の技術】
従来、家具等に設けられた引き出しに発光体を設け、該引き出しを開けたとき該発光体がオンになり引き出しを収めたときオフとなるようにした家具等は公知で合った（特開平６−２０５７１１号公報）。
【０００３】
【発明が解決しようとする課題】
しかし、上記従来の家具等においては、引き出しの出し入れによってオンオフする発光体は、該引き出しを開けたときに引き出し内部がよく見えるようにすることがその設置目的であった。このような家具等に設けられる引き出しは、使用されないときは家具等にきっちりと収められ、該引き出し内の収納物の出し入れを行なうときは、当該人によって該引き出しが引き出されるのであり、従って、該発光体は引き出しが開けっ放しになっていることに注意を喚起するというものではなかった。又、引き出しは家具本体に収められるものであり、床面に直に設置されるというものではなかった。
【０００４】
本発明は、洗面化粧台本体の底部と洗面化粧室の床面との間に形成された蹴込み空間に、フロアストッカーを、引き出し自在に載置収納した洗面化粧台である。このような洗面化粧台を設置する洗面化粧室は、一般にその床面が耐水性のタイルや木製フロアーからなっている。該洗面化粧室は、夜間時においては、通常消灯されており、使用時に入室者がその洗面化粧室の照明を点灯するというものであった。一方、洗面化粧台本体の下部蹴込み空間における床面は洗面化粧室の床面と同一の高さであるから、フロアストッカーが該蹴込み空間からはみ出しやすかった。ところが、洗面化粧室の消灯時に入ってきた人は該はみ出したフロアストッカーに気づかず、洗面化粧室を点灯する前に、該フロアストッカーに蹴躓いて怪我をするという問題があった。
【０００５】
本発明は、洗面化粧台本体の底部と床面との間に形成された蹴込み空間に、引き出し自在に収納されたフロアストッカーが、該蹴込み空間からはみ出したとき該フロアストッカーに設けた発光ダイオードが直ちに点灯し、洗面化粧室に入ってきた人に注意を促し、該はみ出したフロアストッカーで怪我等をしないようにした洗面化粧台を提供することを課題とする。
【０００６】
【課題を解決するための手段】
本発明は、上記課題を解決するために、次のような技術的手段を講じている。すなわち、請求項１記載の発明は、洗面化粧台本体の底部と床面との間に形成された蹴込み空間に引き出し自在に収納したフロアストッカーを装備した洗面化粧台において、該フロアストッカーの上部を開口した収納空間周囲壁の上縁部に発光ダイオードを設けるとともに、該フロアストッカーを引き出したとき、該発光ダイオードを発光させることを特徴とする洗面化粧台である。このように構成にすることによって、万一フロアストッカーが蹴込み空間からはみ出した場合には発光ダイオードが直ちに点灯し、しかも、発光ダイオードはフロアストッカーの収納空間周囲壁の上縁部に設けられているから目立ち易く、該洗面化粧台が設置されている洗面化粧室に入ってきた人が該はみ出したフロアストッカーに直ちに気が付き蹴躓くことを未然に防止できるのである。
【０００７】
請求項２記載の発明は、上記収納空間周囲壁の上縁部が収納空間周囲壁の頂面であり複数の発光ダイオードを該頂面に或る間隔をおいて配設した洗面化粧台である。このような構成により、該洗面化粧室に入ってきた人が発光ダイオードの点灯状態をフロアストッカーの上方からより一層認識し易いのである。
【０００８】
請求項３記載の発明は、　上記発光ダイオードのスイッチを上記収納空間周囲壁の頂面に設けるとともに、フロアストッカーが蹴込み空間の所定位置に押し込まれたとき、該スイッチの開閉押しボタンを上記洗面化粧台本体の底部で押圧するとともに、該スイッチをオフにするようにした洗面化粧台である。このような構成により、該フロアストッカーが所定位置からはみ出したとき該スイッチが直ちに点灯するとともに、該スイッチの開閉とフロアストッカーの蹴込み空間からのはみ出し動作とが直接連動しているから、該スイッチの開閉動作に誤動作が少ないのである。
【０００９】
更に、請求項４記載の発明は、上記発光ダイオードと、該フロアストッカーに設けた電源用の電池ボックスとを上記スイッチを介して接続した洗面化粧台である。このような構成により、発光ダイオード、電源用の電池ボックス及びスイッチとが１つのフロアストッカーに設置されることになり、該電気配線が簡単でフロアストッカーの引き出し動作に伴う故障も少ないのである。
【００１０】
又、請求項５記載の発明は、上記フロアストッカーの底面にキャスターを設けた洗面化粧台である。このような構成により、フロアストッカーの引き出し収納操作が簡単容易になる一方、万一フロアストッカーが所定位置からはみ出した場合においても、該はみ出したフロアストッカーに蹴躓いて怪我をすることを容易に防止できるのである。
【００１１】
【発明の実施の形態】
以下、本発明の好ましい実施の形態について、図面を参照してより詳細に説明する。図１は本発明にかかる洗面化粧台の一実施例を示す正面図、図２は該実施例において、フロアストッカーが収納位置から引き出されたときの側断面図、図３は該実施例にかかる洗面化粧台に使用されたフロアストッカーの斜視図である。図において、１は洗面化粧台本体であり通常は該洗面化粧台本体１の正面上部に鏡が設置されるが本図においては該鏡を省略している。２は該洗面化粧台本体１が設置される床面である。該床面２は、洗面化粧室の床面と面一となった同一の床面であり、一般に耐水性のタイルや木製フロアーからなる。該洗面化粧台本体１の底部１１と床面２との間に形成された蹴込み空間３に引き出し自在にフロアストッカー４が収納されている。フロアストッカー４は上部を開口した矩形状の収納空間周囲壁４１を有し、該収納空間周囲壁４１の上縁部４２に発光ダイオード５を設けている。実施例においては、該上縁部４２は収納空間周囲壁４１の頂面であり該頂面である上縁部４２に小間隔をおいて複数の発光ダイオード５が略面一の埋設されている。実施例においては、該頂面である上縁部４２の両側頂面及び前側頂面にのみ発光ダイオード５を埋設しているが、頂面の全周囲に発光ダイオード５を埋設してもよい。該上縁部４２とはその頂面及び頂面近傍を含むものである。６はスイッチでありその開閉押しボタン６１を収納空間周囲壁４１の頂面に突出させた状態で上縁部４２に埋設されている。７は収納空間周囲壁４１の前側頂面に面一に埋設した電池ボックスであり、該電池ボックス７には発光ダイオード５を点灯するための電池（図示せず）が収納されている。該電池はスイッチ６を介して各発光ダイオード５に接続されている。８はフロアストッカー４の底部四隅に装置されたキャスター、９は蛇口、１０はフロアストッカー４の取手である。
【００１２】
フロアストッカー４が蹴込み空間３に正規の所定位置に収められているときは、フロアストッカー４の収納空間周囲壁４１の上縁部４２に設けられたスイッチ６の開閉押しボタン６１が洗面化粧台本体１の底部１１に押圧された状態となり該スイッチ６はオフの状態である。従って、各発光ダイオード５は点灯していない。フロアストッカー４が該所定位置から引き出されたとき、或いは、振動やその他の原因で該所定位置からはみ出したとき、該開閉押しボタン６１が該洗面化粧台本体１の底部１１から開放されて復帰する。該該開閉押しボタン６１が復帰すると電池ボックス７内の電池（図示せず）がスイッチ６を介して各発光ダイオード５に印加され各発光ダイオード５が点灯（発光）するのである。フロアストッカー４が再び所定位置に収められると開閉押しボタン６１が洗面化粧台本体１の底部１１に押圧されて該スイッチ６はオフになり、各発光ダイオー５が消灯する。
【００１３】
昼間や洗面化粧室が点灯された状態で、フロアストッカー４が所定位置から引き出されたり何かの原因で蹴込み空間３からはみ出した状態のとき、各発光ダイオード５は勿論点灯するのであるが、該洗面化粧台の使用者は気付きにくく、従って、フロアストッカー４は完全に所定位置に収められていない状態で、昼間であれば洗面化粧室をそのままの状態で退出し、夜間であれば、洗面化粧室を消灯すると同時に洗面化粧室を退出する場合がよくある。このフロアストッカー４が所定位置からはみ出した状態で洗面化粧室が暗くなった場合でも、各発光ダイオード５は点灯しており且つ洗面化粧室が暗いから、該洗面化粧室に入ってきた人は直ちにフロアストッカー４がはみ出ていることに気付き該フロアストッカー４で蹴躓くことが極力避けられるのである。
【００１４】
【発明の効果】
以上のべたように、請求項１記載の発明は、洗面化粧台本体１の底部１１と床面２との間に形成された蹴込み空間３に引き出し自在に収納したフロアストッカー４を装着した洗面化粧台において、該フロアストッカー４の上部を開口した収納空間周囲壁４１の上縁部４２に発光ダイオード５を設けるとともに、該フロアストッカー４を引き出したとき、該発光ダイオード５を発光させることを特徴とする洗面化粧台から、万一フロアストッカー４が蹴込み空間３からはみ出した場合には発光ダイオード５が直ちに点灯し、しかも、発光ダイオード５はフロアストッカー４の収納空間周囲壁４１の上縁部４２に設けられているから目立ち易く、該洗面化粧台が設置されている洗面化粧室に入ってきた人が該はみ出したフロアストッカー４に直ちに気が付き蹴躓くことを未然に防止できるのである。
【００１５】
請求項２記載の発明は、請求項１記載の洗面化粧台において、収納空間周囲壁４１の上縁部４２が収納空間周囲壁４１の頂面であり複数の発光ダイオード５を該頂面に或る間隔をおいて配設したから、該洗面化粧室に入ってきた人が発光ダイオード５の点灯状態をフロアストッカー４の上方からより一層認識し易いのである。
【００１６】
請求項３記載の発明は、請求項１記載の洗面化粧台において、発光ダイオード５のスイッチ６を上記収納空間周囲壁４１の頂面に設けるとともに、フロアストッカー４が蹴込み空間３の所定位置に押し込まれたとき、該スイッチ６の開閉押しボタン６１を上記洗面化粧台本体１の底部１１で押圧するとともに、該スイッチ６をオフにするようにしたから、該フロアストッカー４が所定位置からはみ出したとき該スイッチ６が直ちに点灯するとともに、該スイッチ６の開閉とフロアストッカー４の蹴込み空間３からのはみ出し動作とが直接連動しているから、該スイッチ６の開閉動作に誤動作が少ないのである。
【００１７】
請求項４記載の発明は、請求項１記載の洗面化粧台において、発光ダイオード５と、該フロアストッカー４に設けた電源用の電池ボックス７とを上記スイッチ６を介して接続したから、発光ダイオード５、電源用の電池ボックス７及びスイッチ６とが１つのフロアストッカー４に設置されることになり、該電気配線が簡単でフロアストッカー４の引き出し動作に伴う故障も少ないのである。
【００１８】
請求項５記載の発明は、請求項１記載の洗面化粧台において、フロアストッカー４の底面にキャスター８を設けたから、フロアストッカー４の引き出し収納操作が簡単容易になる一方、万一フロアストッカー４が所定位置からはみ出した場合においても、該はみ出したフロアストッカー４に蹴躓いて怪我をすることを容易に防止できるのである。
【図面の簡単な説明】
【図１】本発明にかかる洗面化粧台の一実施例を示す正面図。
【図２】上記実施例において、フロアストッカーが所定の収納位置から引き出されたときの側断面図。
【図３】上記実施例にかかる洗面化粧台に使用されたフロアストッカーの斜視図。
【符号の説明】
１　　　洗面化粧台本体
１１　　洗面化粧台本体の底部
２　　　床面
３　　　蹴込み空間
４　　　フロアストッカー
４１　　フロアストッカーの収納空間周囲壁
４２　　収納空間周囲壁の上縁部
５　　　発光ダイオード
６　　　スイッチ
６１　　スイッチの開閉押しボタン
７　　　電池ボックス
８　　　キャスター
９　　　蛇口
１０　　取手
【図１】
2004065337.tif 000003
【図２】
2004065337.tif 000004
【図３】
2004065337.tif 000005